(57)【特許請求の範囲】
【請求項１】
枠体(1) に複数個の回転子(2) が軸(3) により軸支され、枠体(1) の下端には支持片(4) が当接支持され、前記回転子(2) と支持片(4) との間に無端印字ベルト(5) が張設され、上部に中継部材(7) を設けたものを印字体(6) とし、前記印字体(6) を筒状の本体(10)の内部にて上下摺動可能とし、前記本体(10)の下方端には無端印字ベルト(5) を露呈し、窓(35)を穿設した固定印(12)を保持して窓(22)を穿設した固定印受(20)を着脱自在に設け、更に本体(10)の中間位置には一対の開口窓(23)を相対しており、更に前記開口窓(23)の間には一対のガイド片(14)を設けて前記ガイド片(14)の上方には誘導突起(17)を設けており、上方より前記印字体(6) 及び本体(10)を覆うように外装体(11)が装着されており、前記本体(10)の上部開口端には蓋板(30)が組付けられていてこの蓋板(30)に設けた中央孔(19)より前記中継部材(7) に螺子係合させた調節部材(8) を露呈させてこの調節部材(8) の回動によって無端印字ベルト(5) の最下位置の高さを調整できるものとし、前記調節部材(8) と蓋板(30)との間には、弾性部材(9) により前記印字体(6) が弾発支持されており、更に、前記外装体(11)の内壁に垂直ガイド溝(15A) と円周ガイド溝(15B) からなるガイド溝(15)を設けてこれに前記した誘導突起(17)を介入させてあって、常時はこの誘導突起(17)が円周ガイド溝(15B) の固定端(33)に当接した係合状態にあって、筒状の本体(10)に対する印字体(6) の上下摺動が不能な固定状態に保持させているが、前記誘導突起(17)が垂直ガイド溝(15A) に位置するまで外装体(11)を回転させると、外装体(11)が誘導突起(17)と垂直ガイド溝(15A) との誘導下に上下摺動可能となって、弾発部材(9) の復元力で無端印字ベルト(5) の最下端が前記固定印受(20)の窓(22)より上方に位置するまで印字体(6) が上昇するとともに、外装体(11)は手動によって回転子(2) が露呈される位置まで引き上げ可能となって、この露呈した回転子(2) の操作で無端印字ベルト(5) を回転可能としたことを特徴とする回転印。
【発明の詳細な説明】
【０００１】
【産業上の利用分野】
本発明は、複数個の無端印字ベルトと、下端に固定印を有する、日付印等に関するものである。
【０００２】
【従来の技術】
この種の発明は、従来より実開昭５８−３９８７４号（以下（イ）とする。）実公昭５９−１９３６０号（以下（ロ）とする。）、実公平２−２５６４７号（以下（ハ）とする。）、実公平３−５６３７２号（以下（ニ）とする。）がある。
（イ）は、バネ１０により上方に枠体１を上方に保持させている。しかし、（イ）は、外装体がスライドする構成ではなく、バネ１０もダイヤル３よりも下方に位置し本願とは構成を異にしている。
（ロ）は、本発明と同様回転ダイヤル印に関するものであり、把持筒２６と筒体１を開放して、回転ダイヤル（回転子）１７を露呈するには、把持筒２６と筒体１を上下方向に引けばよい。また、逆に係合させるには、明細書中にもある様に、係合突起３１と係合あな３２、３３とが係合する。尚、下方のバネ部材２０により印字ユニット１を上方に持ち上げている構成である。したがって、（イ）と同様本願とは構成を異にしている。
【０００３】
（ハ）は、印字ユニット１の下方にばね部材２０をデッドスペースＳに設定しており主ケース２と化粧ケース３を上下に引っ張り上げて回転ダイヤル９を露呈する。この時、印字ユニット１はばね部材２０により上方に押し上げられ回転ダイヤル９を回転可能にする。したがって、本願とはばね部材の設定方法、及び、主ケース２と化粧ケース３の係脱方法が異なる。
また、（イ）・（ロ）・（ハ）は全て、下方でバネ部材を設けて応力を掛けているのでインキによる部材の変化、変形が起こりやすい。
（ニ）は、同様回転ダイヤル印であり、把持筒３と主ケ−ス２の係脱は、ロックリング４１により係脱させるものである。しかし、ロックリング４１を使用することで、部品点数も多くなり、コスト高となり、更には、ロックリング４１を確実に片手で回転させないと係脱出来ないといった不便性がある。なぜなら、ロックリング４１を大きくすることは不可能で、これを大きくすると回転子の露呈と操作がしずらい。
【０００４】
【発明が解決しようとする課題】
以上の様な従来品であるので、捺印動作中は印判を片手で握っており、日付等を変更する場合、ロックリングを確実に片手で握り、把持筒と主ケ−スの下部をにぎらなくてはならず、回転子を露呈させるには、ロックリングが小さい程望ましいが、小さければ握りづらく操作しにくいものとなっている。弾発部材をインキ含浸体等の近くに設けているので、合成樹脂部材にかかる応力による変形等が生じる。従って、ロックリングを使用せず、確実に容易に回転させて外装体と本体を係脱させて、回転子を露呈させる。また、部品点数を少なく、コストダウンを目的とする。更に、把持筒と主ケースを開放する際に前記把持筒と前記主ケースが分離せず、把持筒の紛失を防止することを目的とし、把持筒と主ケースの係合を外すと弾発部材等で印字体を上方に移動させ、無端印字ベルトが回転可能となるとともに外装体も上方に移動し使用しやすくしている。また、この弾発部材は、インキの影響を受けない位置に設定できる回転印を提供するものである。
【０００５】
【課題を解決するための手段】
枠体に複数個の回転子が軸により軸支され、枠体の下端には支持片が当接支持され、前記回転子と支持片との間に無端印字ベルトが張設され、上部に中継部材を設けたものを印字体とし、前記印字体を筒状の本体の内部にて上下摺動可能とし、前記本体の下方端には無端印字ベルトを露呈し、窓を穿設した固定印を保持して窓を穿設した固定印受を着脱自在に設け、更に本体の中間位置には一対の開口窓を相対しており、更に前記開口窓の間には一対のガイド片を設けて前記ガイド片の上方には誘導突起を設けており、上方より前記印字体及び本体を覆うように外装体が装着されており、前記本体の上部開口端には蓋板が組付けられていてこの蓋板に設けた中央孔より前記中継部材に螺子係合させた調節部材を露呈させてこの調節部材の回動によって無端印字ベルトの最下位置の高さを調整できるものとし、前記調節部材と蓋板との間には、弾性部材により前記印字体が弾発支持されており、更に、前記外装体の内壁に垂直ガイド溝、円周ガイド溝からなるガイド溝を設けてこれに前記した誘導突起を介入させてあって、常時はこの誘導突起が円周ガイド溝の固定端に当接した係合状態にあって、筒状の本体に対する印字体の上下摺動が不能な固定状態に保持させているが、前記誘導突起が垂直ガイド溝に位置するまで外装体を回転させると、外装体が誘導突起と垂直ガイド溝との誘導下に上下摺動可能となって、弾発部材の復元力で無端印字ベルトの最下端が前記固定印受の窓より上方に位置するまで印字体が上昇するとともに、外装体は手動によって回転子が露呈される位置まで引き上げ可能となって、この露呈した回転子の操作で無端印字ベルトを回転可能としたことを特徴とする回転印である。
【０００６】
【作用】
このような回転印の作用を後記する図示の実施例に基づき説明する。
キャップ１３の底面にインキパッドを設けており、不使用時には、常に固定印１２と無端印字ベルト５が当接されてインキを供給している。本発明の回転印を使用するには、キャップ１３と本体１０の凹凸嵌合（クリック嵌合）を、前記キヤップ１３を下方に引っ張ることによって本体１０の下方部と固定印１２を露呈し、更に、前記固定印１２に穿設された窓２２より無端印字ベルト５を露呈している。この状態で捺印物に対して、押圧捺印可能である。更に、日付等を変更しようとするならば、上記状態から外装体１１と本体１０をもって一定方向に回転させる。すると、本体１０のガイド片１４上方に設けられた誘導突起１７は、外装体１１の内壁に設けられた円周方向のガイド溝１５Ｂ（以下、円周方向ガイド溝という）に誘導される。誘導突起１７は、常時は円周方向ガイド溝１５Ｂの固定端３３に当接しているが、外装体１１の回転とともに、垂直方向のガイド溝１５Ａの上方に位置する。
【０００７】
この時、弾発部材９は、調節部材８の係止鍔２１と本体１０の上方開口端に係合された蓋板３０の間に設けられており常に上方に印字体６を持ち上げる力が働き、印字体６自体を上方に持ち上げ窓３５より上方に位置させるとともに誘導突起１７は外装体１１の内壁に設けられた垂直方向のガイド溝１５Ａに位置しているので外装体１１を一部開放し中継部材７の上面と蓋板３０とが当接して弾発部材９の力による印字体６の上方への移動を規制している。更に、この状態で外装体１１を垂直方向に引っ張ることによって、誘導突起１７は、垂直ガイド溝１５Ａに誘導され、前記外装体１１は上方に移動して回転子２を露呈することとなる。
【０００８】
更に、最後まで外装体１１を上方に引き上げると垂直ガイド溝１５Ａの下方に設けられた下端面１５Ｃに誘導突起１７が当接されて止まり、開口窓２３が全開になる。そして、回転子２を完全に露呈し、回転可能となし無端印字ベルト５の回転を行なえる。また、外装体１１と本体１０が外れることはない。次に、変更し終わると上記とは逆に作動させ、再び捺印可能な状態にもどる。この時、キャップ１３の内底に設けられたインキパッド２４に固定印１２と無端印字ベルト５の最下端面を当接させて、インキを転写塗布し次の捺印にそなえ捺印可能となる。
【０００９】
【実施例】
本発明の第１の実施例を図１、図２、図３、図４、図５より詳細に説明する。
１は、コ字状の枠体であり、上部には中継部材７が固定して設けられており、中間部に軸３を支持する支持溝２５を設け、下部には支持片４を保持する切欠２６を設けている。更に、中継部材７には雄螺子４０を設けている。２は、回転子であり回転子２には、のこ歯状になった作用部３１と無端印字ベルト５が掛けられ張設される無端印字ベルト掛部３２とからなり、回転子２（２Ａ、２Ｂ）と同数の無端印字ベルト５を掛け張設されており、数個の回転子２を軸３により回転可能に軸支されており、両側の回転子２Ｂは枠体１の支持溝２５に前記軸３により支持されている。支持溝２５は、組付け時に使用する導入溝と軸３を支持する固定溝とからなる。
【００１０】
４は、支持片であり、枠体１のコ字状の両端に設けられた切欠２６に当接支持され、回転子２との間で無端印字ベルト５を張設する。６は、印字体であり、前記中継部材７を含む枠体１、軸３、回転子２、支持片４、及び無端印字ベルト５よりなるものである。８は、調節部材であり、下部の筒の内壁には雌螺子３９が設けられており、中継部材７の雄螺子４０と螺子係合している。したがって、調節部材８を回動させると螺子係合されている中継部材７の雄螺子４０と雌螺子３９との係合量をもって印字体６を本体１０内を上下摺動可能にして、無端印字ベルト５の最下位置の高さを調整している。これにより、固定印１２と無端印字ベルト５の印面位置を同一高さに調整できる。また、弾発部材９を調節部材８の係止鍔２１に当接し、更に、外装体１１の上方開口端（当接棚３６）に常時は当接している。
【００１１】
９は、弾発部材であり、使用するのは圧縮コイルスプリングである。弾発部材９は、回転子２より上方に設けられており、外装体１１と本体１０の位置により印字体６及び外装体１１を上方に一部弾発移動させる作用を有する。また、弾発部材９の一方は蓋板３０に当接され、他方は調節部材８に張設された係止鍔２１の下面に当接され、前記弾発部材９は印字体６、調節部材８及び外装体１１に対して弾発力を与えている。１０は、筒状の本体であり、中間位置には一対の相対する開口窓２３が設けられている。また、ガイド片１４があり上方には孔４１と誘導突起１７が設けられている。
【００１２】
前記本体１０の下方部には係合部２８が設けられ、固定印１２を有する固定印受２０が、着脱自在に係合している。また、本体１０の内部には印字体６を配しており、無端印字ベルト５の最下方端の位置を固定印１２と同一印面位置から固定印受２０の窓２２より上方位置まで上下摺動自在に設けている。更に、前記本体１０には、固定印１２及び窓３５より無端印字ベルト５の露呈する印面を覆うように、キャップ１３が着脱自在に係合する突部３４を設けている。この印字体６の摺動により前記固定印受２１の窓２２より上方位置まで摺動して、更に外装体１１を上方に引き上げると誘導突起１７は垂直ガイド溝１５Ａの下端面１５Ｃに当接して回転子２を完全に露呈して、無端印字ベルト５の印字部分を変えることが可能となる。また、前記本体１０の上部には孔４１を４箇所設けており、蓋板３０の片面に張設された係合足２９と係合する。係合足２９は、孔４１と同数設けられている。
【００１３】
蓋板３０はドーナッツ状の板であり、本体１０の上方開口端に前記蓋板３０を組付け（係合させ）て孔１９より調節部材８を常に露呈している。１１は、筒状の外装体であり、上方開口端の上部窓１８を覆い隠す様に調節部キャップ２７を着脱自在に嵌着させており、内壁には円周ガイド溝１５Ｂと垂直ガイド溝１５Ａとから成るガイド溝１５が設けられており、両者は連通されている。前記外装体１１は、常時は誘導突起１７が円周ガイド溝１５Ｂの固定端３３に位置しており外装体１１と本体１０が係合し、当然開口窓２３を覆っている。誘導突起１７は、前記ガイド溝１５（ガイド溝１５Ａ、１５Ｂ）に当接誘導される。
【００１４】
１３は、有底筒状のキャップであり底には、インキを含浸したインキパッド２４を設けており、本体１０の外周面に設けられた突部３４に着脱自在に係合する。また前記インキパッド２４は弾発部材９により弾発支持されていてもよい。不使用時には、キャップ１３の底面に設けられたインキパッド２４に固定印１２と無端印字ベルト５が当接されてインキを供給している。前記キャップ１３を取り外し捺印する。
【００１５】
次に、本発明の回転印を組み付けるには、枠体１の下部に支持片４を保持させ、無端印字ベルト５を掛けた回転子２を数組、軸３に回転自在に支持させ、前記軸３を前記枠体の中間部に設けられた支持溝２５に保持させ、前記支持片４とで、無端印字ベルト５を張設支持している。そして、印字体６を本体１０内部に上下摺動自在に配設し、上方より本体１０の上方開口端に蓋板３０を載せ、孔１９より中継部材７が露呈するようにして前記蓋板３０の係合足２９と孔４１とが係合させる。そして、弾発部材９を蓋板３０に載設して、調節部材８の係止鍔２１に前記弾発部材９の上端を当接して、前記調節部材８の雌螺子３９と中断部材７の雄螺子４０が螺子係合している。こうして、印字体６及び調節部材８を上方に弾発支持している。
【００１６】
次に、本体１０に外装体１１を上方より覆い被せる。この時、誘導突起１７の位置を垂直ガイド溝１５Ａの延長上に位置させ前記のごとく上方より無理入れを行ない、前記誘導突起１７と垂直ガイド溝１５Ａとを上下摺動自在に組みつける。
【００１７】
前記垂直ガイド溝１５Ａに向かって外装体１１を押し下げ、前記外装体１１の上方開口端内壁に調節部材８の係止鍔２１を押圧当接させながら、前記誘導突起１７を下方に移動させ、更に、本体１０の周方向に設けられたガイド溝１５Ｂに、前記誘導突起１７を移動させ、固定端３３近くのガイド溝１５Ｂは、浅くなっているので誘導突起１７を係合し、外装体１１を固定させるとともに固定印受２１に設けられた、固定印１２の窓３５から露呈された無端印字ベルト５の最下方端の位置と固定印１２と同一印面位置にすることが出来、捺印可能とする。最後に、外装体１１の上方より調節部キャップ２７を着脱自在に嵌合させ、下方よりキャップ１３を着脱自在に嵌合して、組付けられる。
【００１８】
本発明の回転印の日付等を変更しようとするならば、外装体１１と本体１０をもって左右どちらかに回転させる。すると、本体１０の上方に設けられた誘導突起１７は、固定端３３近くの円周ガイド溝１５Ｂから出て外装体１１の内壁に設けられた垂直方向のガイド溝１５Ａによって誘導される。更に、誘導突起１７は、外装体１１の回転とともに、垂直ガイド溝１５Ｂの上方に位置する。すると外装体１１の上方開口端は、係止鍔２１に当接しており弾発部材９に抗して下方に押圧しているので誘導突起１７が垂直ガイド溝１５Ｂの上方に位置すると、外装体１１、印字体６及び調節部材８は弾発部材９により上方に弾発移動するすると、外装体１１は、少し開放した状態になり印字体６及び調節部材８は、上方に位置するとともに無端印字ベルト５の最下点が窓２２より上方に位置する。
【００１９】
更に、この状態で外装体１１を垂直方向に引き上げると、誘導突起１７は、垂直ガイド溝１５Ｂに誘導され、前記外装体１１を上方に移動して回転子２を露呈することとなる。この状態で回転子２を回転させて、日付を変更する。変更し終わると上記とは逆に作動させ、再び捺印可能な状態にもどる。更に又、無端印字ベルト５の最下印面位置と固定印１２の印面位置と同一にするには、調節部キャップ２７と外装体１１の上部とのクリック嵌合を解除する。すると、調節部材８は露呈され、回転させると中継部材７と螺子係合しているので係合量をもってして印字体６を上下に揺動自在にして調整する。
【００２０】
材質については、本体１０、枠体１、支持片４、固定印受２１、蓋板３０、外装体１１、回転子２、調節部材８、キャップ１３、調節部キャップ２７は、熱可塑性樹脂や熱硬化性樹脂の合成樹脂であてもよい。また、枠体１、支持片４は金属部品であってもよい。
【００２１】
【効果】
以上の様な構成であるので、ロックリングを使用せず、確実に容易に回転させて外装体１１と本体１０とを係脱させて、回転子２を露呈させることができる。また、こうすることによって部品点数、コストダウンを可能とする。更に、外装体１１を開けて、回転子２を回動する際、インキより離して上部に弾発部材９を設けたことにより、インキによるクラック等部材の変形がなくなった。また、印字体６だけでなく外装体１１をも弾発部材９により上方に移動させることが出来るので、使用しやすく、更には、外装体１１と本体１０が分離することがないので外装体１１を無くすこともない。
【００２２】
【図面の簡単な説明】
【図１】  本発明の実施例の断面図
【図２】  本発明の実施例の外装体１１の開放断面図
【図３】  本発明の実施例の一部部品の斜視図
【図４】  本発明の実施例の誘導突起１７がガイド溝１５Ａに位置している略説明図
【図５】  本発明の実施例の誘導突起１７がガイド溝１５Ｂに位置している略説明図
【００２３】
【符号の説明】
１：枠体
２：回転子
３：軸
４：支持片
５：無端印字ベルト
６：印字体
７：中継部材
８：調節部材
９：弾発部材
１０：本体
１１：外装体
１２：固定印
１３：キャップ
１４：ガイド片
１５：ガイド溝
１５Ａ：垂直ガイド溝
１５Ｂ：円周ガイド溝
１７：誘導突起
１８：上部窓
１９：孔
２２：窓
２３：開口窓
２４：インキパッド
２５：支持溝
２６：切欠
２７：調節部キャップ
２８：係合部
２９：係合足
３０：蓋板
３１：作用部
３２：無端印字ベルト掛部
３３：固定端
３４：突部
３５：窓
３９：雌螺子
４０：雄螺子
４１：孔
【図１】
0003673016.tif 000002
【図２】
0003673016.tif 000003
【図３】
0003673016.tif 000004
【図４】
0003673016.tif 000005
【図５】
0003673016.tif 000006